(57)【要約】      （修正有）【課題】持ち歩いて利用することができる歯科材料容器を収容できる歯科材料用混合装置を提供する。【解決手段】駆動部品１０と、連動機構と、固定座とを含む。当該連動機構は、リニアガイドレール２１と、当該リニアガイドレールに設けられる動作ブロック２２と、伝動用リンクロッド２３とを含み、当該伝動用リンクロッドは、当該駆動部品に接続される第１の伝動部品と、当該第１の伝動部品及び当該動作ブロックに接続される第２の伝動部品とを含み、当該伝動用リンクロッドは、当該駆動部品に連動して曲線往復行程にて移動し、当該動作ブロックは、当該伝動用リンクロッドが当該曲線往復行程にて移動する時、リニア往復行程にて移動し、当該固定座は、当該動作ブロックまたは当該第２の伝動部品に設けられ、かつ、歯科材料を入れた容器をその中に収容するための作業スペースが成形される。【選択図】図１
0003221493.tif 000002
【実用新案登録請求の範囲】
【請求項１】
駆動部品と、
リニアガイドレールと、前記リニアガイドレールに設けられる動作ブロックと、伝動用リンクロッドとを含み、前記伝動用リンクロッドは、前記駆動部品に接続される第１の伝動部品と、前記第１の伝動部品及び前記動作ブロックに接続される第２の伝動部品とを含み、前記伝動用リンクロッドは、前記駆動部品に連動して曲線往復行程にて移動し、前記動作ブロックは、前記伝動用リンクロッドが前記曲線往復行程にて移動する時、リニア往復行程にて移動する連動機構と、
前記動作ブロックまたは前記第２の伝動部品に設けられ、かつ、混合対象の歯科材料を入れた容器をその中に収容するための作業スペースが成形される固定座とを含む歯科材料用混合装置。
【請求項２】
前記リニアガイドレールは、リニアガイドロッドであり、前記動作ブロックが、前記リニアガイドロッドをその中に穿設するための第１の軸受を備えることを特徴とする請求項１に記載の歯科材料用混合装置。
【請求項３】
前記第２の伝動部品が、前記動作ブロックに接続される第１の接続部品と、前記第１の接続部品に対応して設けられる第２の軸受と、前記第１の伝動部品に接続される第２の接続部品と、前記第２の接続部品に対応して設けられる第３の軸受とを備えることを特徴とする請求項１または２に記載の歯科材料用混合装置。
【請求項４】
前記第１の伝動部品が前記第２の伝動部品に接続した箇所は、前記駆動部品の軸心からずれることを特徴とする請求項１に記載の歯科材料用混合装置。
【請求項５】
前記第１の伝動部品が、その中心に位置し前記駆動部品を組み付ける第１の取付け孔と、前記第１の取付け孔から離隔し且つ前記第２の伝動部品を組み付けるための少なくとも１つの第２の取付け孔とを備えることを特徴とする請求項１に記載の歯科材料用混合装置。
【請求項６】
ベース部と、前記連動機構を設けるための支持部と、前記ベース部及び前記支持部にそれぞれ接続される複数の緩衝接続部品とをさらに含むことを特徴とする請求項１に記載の歯科材料用混合装置。
【請求項７】
前記緩衝接続部品のそれぞれは、前記ベース部に接続される第１の掛着部と、前記支持部に接続される第２の掛着部と、前記第１の掛着部及び前記第２の掛着部を接続するばねとを含むことを特徴とする請求項６に記載の歯科材料用混合装置。
【請求項８】
前記ベース部が、前記第１の掛着部をそれぞれ設けるための複数のコラム部を備えることを特徴とする請求項７に記載の歯科材料用混合装置。
【請求項９】
前記支持部が、前記駆動部品を収容するための開口部を備え、前記駆動部品が、前記開口部に対応して取り付けられる支持部品を備えることを特徴とする請求項６に記載の歯科材料用混合装置。
【請求項１０】
前記容器の外縁に環状溝が設けられ、前記固定座が、前記作業スペース内に設けられ且つ前記環状溝に対応する凸リブを備えることを特徴とする請求項１に記載の歯科材料用混合装置。
【考案の詳細な説明】
【技術分野】
【０００１】
本考案は、歯科材料用混合装置に関し、より詳しくは、関連医療機器の全体的な体積を減らすことができる歯科材料用混合装置に関するものである。
【背景技術】
【０００２】
今や、家庭医療の理念がますます普及する中で、医師は従来のように病院の診室内で診断を行うだけでなく、外出して医療活動を行う場合も増えてくる。外出する場合にはその診断や治療を行うためのスペースが病院の診室よりも狭いのがほとんどである。例えば、このような狭い環境の中で歯科材料を混合する必要があるような場合は、従来の歯科材料用混合装置では、その体積が大きく動作時に大きなスペースを必要とするため、非常に不便であった。
【０００３】
本考案に関連する従来技術としては、揚送混合機の振動吸収・緩衝構造を開示する特許文献１が挙げられる。かかる揚送混合機は、動力源と、伝動部と、作動アームと、ベース部と、当該動力源、伝動部及び作動アームを架設するための支持フレームとを含む。当該動力源は、当該伝動部を駆動し当該作動アームを連動して動作させるように、動力を提供する。実施する際は、当該作動アームには、それが揺動して材料を混合するために、さらなる動作スペースを必要とするため、当該揚送混合機を収容するには大きなハウジングが必要になり、装置全体の体積が大きくなり、持ち歩いて利用することはできない。
【先行技術文献】
【特許文献】
【０００４】
【特許文献１】台湾実用新案第３１３５０３号
【考案の概要】
【考案が解決しようとする課題】
【０００５】
本考案は、従来の歯科材料用混合装置が作業時に、さらなる動作スペースを必要とするという問題を解決するためになされるものである。
【課題を解決するための手段】
【０００６】
上記目的を達成するためになされた本考案は、駆動部品と、連動機構と、固定座とを含む歯科材料用混合装置を提供する。当該連動機構は、リニアガイドレールと、当該リニアガイドレールに設けられる動作ブロックと、伝動用リンクロッドとを含み、当該伝動用リンクロッドは、当該駆動部品に接続される第１の伝動部品と、当該第１の伝動部品及び当該動作ブロックに接続される第２の伝動部品とを含み、当該伝動用リンクロッドは、当該駆動部品に連動して曲線往復行程にて移動し、当該動作ブロックは、当該伝動用リンクロッドが当該曲線往復行程にて移動する時、リニア往復行程にて移動し、当該固定座は、当該動作ブロックまたは当該第２の伝動部品に設けられ、かつ、混合対象の歯科材料を入れた容器をその中に収容するための作業スペースが成形される。
【０００７】
本考案に係る歯科材料用混合装置の一実施形態において、当該リニアガイドレールは、リニアガイドロッドであり、当該動作ブロックは、当該リニアガイドロッドをその中に穿設するための第１の軸受を備える。
【０００８】
本考案に係る歯科材料用混合装置の一実施形態において、当該第２の伝動部品は、当該動作ブロックに接続される第１の接続部品と、当該第１の接続部品に対応して設けられる第２の軸受と、当該第１の伝動部品に接続される第２の接続部品と、当該第２の接続部品に対応して設けられる第３の軸受とを備える。
【０００９】
本考案に係る歯科材料用混合装置の一実施形態において、当該第１の伝動部品が当該第２の伝動部品に接続した箇所は、当該駆動部品の軸心からずれる。
【００１０】
本考案に係る歯科材料用混合装置の一実施形態において、当該第１の伝動部品は、その中心に位置し当該駆動部品を組み付ける第１の取付け孔と、当該第１の取付け孔から離隔し且つ当該第２の伝動部品を組み付けるための少なくとも１つの第２の取付け孔とを備える。
【００１１】
本考案に係る歯科材料用混合装置の一実施形態において、当該歯科材料用混合装置は、ベース部と、当該連動機構を設けるための支持部と、当該ベース部及び当該支持部にそれぞれ接続される複数の緩衝接続部品とをさらに含む。
【００１２】
本考案に係る歯科材料用混合装置の一実施形態において、当該緩衝接続部品のそれぞれは、当該ベース部に接続される第１の掛着部と、当該支持部に接続される第２の掛着部と、当該第１の掛着部及び当該第２の掛着部を接続するばねとを含む。
【００１３】
本考案に係る歯科材料用混合装置の一実施形態において、当該ベース部は、当該第１の掛着部をそれぞれ設けるための複数のコラム部を備える。
【００１４】
本考案に係る歯科材料用混合装置の一実施形態において、当該支持部は、当該駆動部品を収容するための開口部を備え、当該駆動部品は、当該開口部に対応して取り付けられる支持部品を備える。
【００１５】
本考案に係る歯科材料用混合装置の一実施形態において、当該容器の外縁に環状溝が設けられ、当該固定座は、当該作業スペース内に設けられ且つ当該環状溝に対応する凸リブを備える。
【考案の効果】
【００１６】
上記の説明から分かるように、本考案は従来技術に比べて、以下の利点を有する。本考案に係る歯科材料用混合装置は、使用者のニーズに応じて、当該固定座を当該動作ブロックまたは当該第２の伝動部品に設けることによって当該固定座が異なる方式で混合することができ、且つ、当該固定座は、当該動作ブロックまたは当該第２の伝動部品に直接設けられ、当該動作ブロックまたは当該第２の伝動部品に従って当該リニア往復行程または曲線往復行程にて移動しながら当該歯科材料を混合させるため、当該歯科材料用混合装置は、当該固定座が材料を混合するための動作スペースを設ける必要がなくなり、装置全体の体積を減らし、持ち歩いて利用することが可能になる。
【図面の簡単な説明】
【００１７】
【図１】本考案の歯科材料用混合装置に係る一実施形態の構造を概略的に示す図である。
【図２】本考案の歯科材料用混合装置に係る一実施形態を側面から見た分解図である。
【図３】本考案の歯科材料用混合装置に係る一実施形態の上面図その１である。
【図４】本考案の歯科材料用混合装置に係る一実施形態の上面図その２である。
【図５】本考案の歯科材料用混合装置に係るもう一つの実施形態の構造を概略的に示す図である。
【考案を実施するための形態】
【００１８】
関連する各図を参照して、本考案の技術内容を以下のとおりに詳細に説明する。
【００１９】
図１、図２に示すように、本考案は、駆動部品１０と、連動機構２０と、固定座３０とを含む歯科材料用混合装置１００を提供する。具体的に言えば、駆動部品１０は、高回転モータであってもよく、高回転とは、４０００ｒｐｍ、５０００ｒｐｍまたはさらに高い回転速度である。一方、連動機構２０は、駆動部品１０及び固定座３０にそれぞれ接続され、連動機構２０がリニアガイドレール２１と、リニアガイドレール２１に設けられる動作ブロック２２と、伝動用リンクロッド２３とを含み、伝動用リンクロッド２３は、駆動部品１０に接続される第１の伝動部品２４と、第１の伝動部品２４及び動作ブロック２２に接続される第２の伝動部品２５とを含み、伝動用リンクロッド２３は、駆動部品１０に連動して曲線往復行程にて移動し、動作ブロック２２は、伝動用リンクロッド２３が当該曲線往復行程にて移動する時、リニア往復行程にて移動する。また、固定座３０には容器３１をその中に収容するための作業スペース３０１が成形され、容器３１には混合対象の歯科材料が入れられ、当該歯科材料は、歯修復用の歯科材料であり、さらに当該歯科材料は、水銀と銀、スズ、亜鉛などその他金属の混合物や、グラスアイオノマーセメント等であってもよい。
【００２０】
これにより、使用者がそのニーズに応じて、固定座３０を動作ブロック２２または第２の伝動部品２５に設けることができ、すなわち、固定座３０が動作ブロック２２に設けられる場合には、固定座３０は動作ブロック２２に従って当該リニア往復行程にて移動して当該歯科材料を混合させる（図５を参照）。固定座３０が第２の伝動部品２５に設けられる場合には、固定座３０は第２の伝動部品２５に従って当該曲線往復行程にて移動して歯科材料を混合させ（図１を参照）、また、固定座３０が第２の伝動部品２５に設けられる場合には、固定座３０は第２の伝動部品２５に連動して、８字のような軌跡にて移動する。本考案に係る歯科材料用混合装置の一実施形態において、歯科材料用混合装置１００は、動作ブロック２２及び第２の伝動部品２５にそれぞれ設けられる２つの固定座３０をさらに含んでもよく、２つの固定座３０はそれぞれ、当該曲線往復行程及び当該リニア往復行程にて連動する。
【００２１】
図２に示すように、本考案に係る歯科材料用混合装置の一実施形態において、リニアガイドレール２１は、リニアガイドロッドであり、動作ブロック２２は、当該リニアガイドロッドをその中に穿設し且つ動作ブロック２２に接続される第１の軸受２２１を備える。さらに、当該リニアガイドロッドは、第１の軸受２２１がそれに嵌着され且つ動作ブロック２２を所定の方向に動作するように規制し、すなわち、動作ブロック２２は、当該リニアガイドロッドに沿って当該リニア往復行程にて移動する以外は、その他方向に動作することができない。また、当該リニアガイドロッドの両側には当該リニアガイドロッドに組み付けられ且つ当該リニアガイドロッドを支持するガイドロッドベース部２１１がそれぞれ設けられる。一方、第２の伝動部品２５は、動作ブロック２２に接続される第１の接続部品２５１と、第１の接続部品２５１に対応して設けられる第２の軸受２５２と、第１の伝動部品２４に接続される第２の接続部品２５３と、第２の接続部品２５３に対応して設けられる第３の軸受２５４とを含み、本考案に係る歯科材料用混合装置の一実施形態において、第１の接続部品２５１及び第２の接続部品２５３は、ねじであってもよい。具体的に言えば、第２の軸受２５２は、第２の伝動部品２５の動作ブロック２２に接続される端部に設けられ、第３の軸受２５４は、第２の伝動部品２５の第１の伝動部品２４に接続される端部に設けられ、第２の軸受２５２及び第３の軸受２５４は、第２の伝動部品２５が当該曲線往復行程にて移動する時、回転軸が受ける摩擦力を低減することができる。本考案に係る歯科材料用混合装置の一実施形態において、第２の軸受２５２と動作ブロック２２との間、及び第３の軸受２５４と第１の伝動部品２４との間にそれぞれ座金（図示せず）が設けられ、これらの座金は、第２の伝動部品２５が当該曲線往復行程にて移動する時の動作ブロック２２との間の接触面及び第１の伝動部品２４との間の接触面の摩擦力を低減することができる。
【００２２】
図２、図３、図４に示すように、本考案に係る歯科材料用混合装置の一実施形態において、第１の伝動部品２４は、第１の伝動部品２４の中心に位置し駆動部品１０を組み付ける第１の取付け孔２４１、及び第１の取付け孔２４１から離隔し且つ第２の伝動部品２５を組み付けるための少なくとも１つの第２の取付け孔２４２を含み、すなわち、第１の取付け孔２４１と第２の取付け孔２４２との間には一定の距離があり、第１の取付け孔２４１と第２の取付け孔２４２は同一の延長線上にない。さらに、駆動部品１０が起動し、第１の伝動部品２４を連動させて軸心１１を中心にして回転し、そして第２の取付け孔２４２にトルクを生じさせ、第２の伝動部品２５の駆動部品１０に接続される端部を連動して軸心１１を中心にして揺動させる。これと同時に、第２の伝動部品２５の動作ブロック２２に接続される端部は、動作ブロック２２に従いリニアガイドレール２１に沿って直線的にスライドすると、第２の伝動部品２５が当該曲線往復行程にて移動する。一方、駆動部品１０が起動して第２の伝動部品２５を連動して当該曲線往復行程にて移動させる時、動作ブロック２２は、第２の伝動部品２５に連動してリニアガイドレール２１に当該リニア往復行程にて移動する。本考案に係る歯科材料用混合装置の一実施形態において、第２の取付け孔２４２は、複数にして第１の伝動部品２４に配列され、かつ、第２の取付け孔２４２のそれぞれは軸心１１との距離が異なるように設けられてもよく、第２の伝動部品２５は、それが接続された第２の取付け孔２４２によって揺動の半径が異なり、すなわち異なる幅で揺動し、具体的に言えば、第２の伝動部品２５が軸心１１の近くの第２の取付け孔２４２に接続される場合には、第２の伝動部品２５は小さい幅で揺動し、これと同じく、第２の伝動部品２５が軸心１１から離れた第２の取付け孔２４２に接続される場合には、第２の伝動部品２５が大きい幅で揺動する。
【００２３】
これにより、本考案に係る歯科材料用混合装置の一実施形態において、歯科材料用混合装置１００は、駆動部品１０及び連動機構２０を逆にして、固定座３０を動作ブロック２２に取り付けるように実施してもよく、図５に示すように、この時、固定座３０が動作ブロック２２に従って当該リニア往復行程にて移動すると、混合対象の歯科材料を混合させることができ、具体的な動作は前述した内容と同じであるため、ここで説明を省略する。
【００２４】
図１、図２に示すように、本考案に係る歯科材料用混合装置の一実施形態において、歯科材料用混合装置１００は、ベース部４０と、駆動部品１０及び連動機構２０を設けるための支持部４１と、ベース部４０及び支持部４１にそれぞれ接続される複数の緩衝接続部品４２とを含み、支持部４１は、駆動部品１０を収容するための開口部４１１を備え、駆動部品１０は、開口部４１１に対応して取り付けられて駆動部品１０を支持部４１に固定する支持部品１２を備える。一方、連動機構２０は、２つのガイドロッドベース部２１１で支持部４１に組み付けられ、第１の伝動部品２４で駆動部品１０に接続されて、支持部４１に固定される。さらに、緩衝接続部品４２のそれぞれはベース部４０に接続される第１の掛着部４２１と、支持部４１に接続される第２の掛着部４２２と、第１の掛着部４２１及び第２の掛着部４２２を接続するばね４２３とを含み、ベース部４０は、第１の掛着部４２１をそれぞれ設けるための複数のコラム部４０１を備え、これらの緩衝接続部品４２はそれぞれ、第１の掛着部４２１でベース部４０に接続され第２の掛着部４２２でコラム部４０１に接続されるようにベース部４０及び支持部４１に接続される。これにより、本考案に係る歯科材料用混合装置は、緩衝接続部品４２で駆動部品１０及び連動機構２０が高速で動作する時に生じさせた高周波の振動を吸収することができる。
【００２５】
図１、図２に示すように、本考案に係る歯科材料用混合装置の一実施形態において、容器３１は係止されて作業スペース３０１内に収容され、作業スペース３０１は、固定座３０に成形される複数のバリア壁３０３により限定される。具体的に言えば、容器３１の外縁に環状溝３１１が設けられ、固定座３０には作業スペース３０１内に設けられ且つ環状溝３１１に対応する凸リブ３０２が成形され、さらに、容器３１はこれらのバリア壁３０３に対応して作業スペース３０１に収容され、且つ容器３１が混合する時、固定座３０から離脱しないように凸リブ３０２を環状溝３１１に係止させる。
【００２６】
本考案に係る歯科材料用混合装置の一実施形態において、歯科材料用混合装置１００は、電力供給装置をさらに含み、当該電力供給装置がバッテリまたは外部電源から電力を取得して、当該電力を駆動部品１０に提供することによって、駆動部品１０を起動して連動機構２０を連動させると、歯科材料用混合装置１００で歯科材料を混合させる。
【符号の説明】
【００２７】
１００  歯科材料用混合装置
１０    駆動部品
１１    軸心
１２    支持部品
２０    連動機構
２１    リニアガイドレール
２１１  ガイドロッドベース部
２２    動作ブロック
２２１  第１の軸受
２３    伝動用リンクロッド
２４    第１の伝動部品
２４１  第１の取付け孔
２４２  第２の取付け孔
２５    第２の伝動部品
２５１  第１の接続部品
２５２  第２の軸受
２５３  第２の接続部品
２５４  第３の軸受
３０    固定座
３０１  作業スペース
３０２  凸リブ
３０３  バリア壁
３１    容器
３１１  環状溝
４０    ベース部
４０１  コラム部
４１    支持部
４１１  開口部
４２    緩衝接続部品
４２１  第１の掛着部
４２２  第２の掛着部
４２３  ばね
【図１】
0003221493.tif 000003
【図２】
0003221493.tif 000004
【図３】
0003221493.tif 000005
【図４】
0003221493.tif 000006
【図５】
0003221493.tif 000007